(57)【要約】【課題】弾性部材に亀裂がはいった場合、質量部材が内筒部材から外れて落下するのを予防することのできるダイナミックダンパを具えた防振装置を提供する。【解決手段】防振装置１０において、ダイナミックダンパ４を構成する質量部材３は、内周面２ａより半径方向内側に突出する突起１１を有し、ダンパ固定部材５の先端１５は、内筒部材１の軸方向外側に突出するとともに、その外輪郭の、内筒部材軸線Ｃからの最大半径は、突起１１の最小内側半径よりも大きくなるよう構成されている。【選択図】図２
2010091015.tif 000002
【特許請求の範囲】
【請求項１】
内筒部材と、その半径方向外側に配置された内周面を有する質量部材と、これらの間に配置されこれらを連結する弾性部材とよりなるダイナミックダンパを、内筒部材の半径方向内側に配置された棒状のダンパ固定部材を介して取り付けてなる防振装置において、
前記質量部材は、前記内周面より半径方向内側に突出する突起を有し、前記ダンパ固定部材の先端は、前記内筒部材の軸方向外側に突出するとともに、その外輪郭の、内筒部材軸線からの最大半径は、前記突起の最小内側半径よりも大きくなるよう構成されてなる防振装置。
【請求項２】
前記ダンパ固定部材は、防振装置の本体に一体的に取り付けられてなる請求項１に記載の防振装置。
【請求項３】
前記突起は弾性部材の長さ方向両端から離れた位置に配置されてなる請求項１もしくは２に記載の防振装置。
【請求項４】
前記突起は周方向に連続するリブで構成されてなる請求項１〜３のいずれかに記載の防振装置。
【発明の詳細な説明】
【技術分野】
【０００１】
本発明は、内筒部材と、その半径方向外側に配置された質量部材と、これらの間に配置されこれらを連結する弾性部材とよりなるダイナミックダンパを、ダンパ固定部材を介して取り付けてなる防振装置に関する。
【背景技術】
【０００２】
従来から、図１に中心軸線を通る断面で示すように、内筒部材９１と、その半径方向外側に配置された質量部材９２と、これらの間に配置されこれらを連結する弾性部材９３とよりなるダイナミックダンパ９４を、ダンパ固定部材９５を介して取り付けてなる防振装置９０が知られている（例えば、特許文献１参照。）。この防振装置９０において、第１本体部材９６は、ブラケット９７を介して振動源側に取り付けられ、第２本体部材９８は振動受け側に取り付けられていて、第１本体部材９６と第２本体部材９８とは例えば図示しない弾性部材によって連結されていて、振動源の振動に伴う第１本体部材９６の第２本体部材に対する相対変位を弾性部材によって吸収し、振動源の振動を振動受け側に伝達するのを抑えるよう機能する。
【０００３】
一方、ダイナミックダンパ９４は、振動源側の固有周波数による共振を抑えるため設けられる。
【特許文献１】特開２０００−３３７４３１号公報
【発明の開示】
【発明が解決しようとする課題】
【０００４】
そして、このようなダイナミックダンパ９４は、質量部材９２の慣性によって、ゴム等よりなる弾性部材９３に大きな負荷がかかり、弾性部材９３内、あるいは、内筒部材９１あるいは質量部材９２との接着面において亀裂がはいった場合、質量部材９２が内筒部材９１から外れる可能性がある。
【０００５】
本発明は、このような問題点に鑑みてなされたものであり、弾性部材９３に亀裂がはいった場合、質量部材９２が内筒部材９１から外れるのを予防することのできるダイナミックダンパを具えた防振装置を提供することを目的とする。
【課題を解決するための手段】
【０００６】
＜１＞は、内筒部材と、その半径方向外側に配置された内周面を有する質量部材と、これらの間に配置されこれらを連結する弾性部材とよりなるダイナミックダンパを、内筒部材の半径方向内側に配置された棒状のダンパ固定部材を介して取り付けてなる防振装置において、
前記質量部材は、前記内周面より半径方向内側に突出する突起を有し、前記ダンパ固定部材の先端は、前記内筒部材の軸方向外側に突出するとともに、その外輪郭の、内筒部材軸線からの最大半径は、前記突起の最小内側半径よりも大きくなるよう構成されてなる防振装置である。
【０００７】
＜２＞は、＜１＞において、前記ダンパ固定部材は、防振装置の本体に一体的に取り付けられてなる防振装置である。
【０００８】
＜３＞は、＜１＞もしくは＜２＞において、前記突起は弾性部材の長さ方向両端から離れた位置に配置されてなる防振装置である。
【０００９】
＜４＞は、＜１＞〜＜３＞のいずれかにおいて、前記突起は周方向に連続するリブで構成されてなる防振装置である。
【発明の効果】
【００１０】
＜１＞によれば、前記質量部材は、前記内周面より半径方向内側に突出する突起を有し、前記ダンパ固定部材の先端は、前記内筒部材の軸方向外側に突出するとともに、その外輪郭の、内筒部材軸線からの最大半径は、前記突起の最小内側半径よりも大きくなるよう構成されているので、質量部材９２の慣性によって、ゴム等よりなる弾性部材９３に大きな負荷がかかり、弾性部材９３内、あるいは、内筒部材９１あるいは質量部材９２との接着面において亀裂がはいって、質量部材９２が軸方向外側に変位して内筒部材９１から抜け落ちようとしても、質量部材の内周面より内側に突出した突起が、ダンパ固定部材の先端と干渉するので抜け落ちることができず、よって、この防振装置は、質量部材９２が内筒部材９１から外れるのを予防することができる。
【００１１】
＜２＞によれば、前記ダンパ固定部材は、防振装置の本体に一体的に取り付けられているので、部品点数を減らすことができる。
【００１２】
＜３＞によれば、前記突起は弾性部材の長さ方向両端から離れた位置に配置されているので、質量部材と内筒部材との弾性的な軸方向相対変位を可能にして、ダイナミックダンパの固有振動抑制機能を十分発揮させるできる。
【００１３】
＜４＞によれば、前記突起は周方向に連続するリブで構成されているので、旋盤加工によって容易に突起を形成することができ、しかも、質量部材が内筒部材から落下するのを確実に防止することができる。
【発明を実施するための最良の形態】
【００１４】
本発明の実施形態について図に基づいて説明する。図３は、本発明に係る実施形態の防振装置を、中心軸線Ｃを通る断面で示す断面図であり、防振装置１０は、その本体部１２に基端１６が一体的に取り付けられた軸方向に延びるダンパ固定部材５を介してダイナミックダンパ４が取り付けられている。ダイナミックダンパ４は、内筒部材１と、その半径方向外側に配置された質量部材２と、これらの間に配設されこれらを連結する弾性部材３とよりなり、内筒部材１の内周面１ａに、ダンパ固定部材５を圧入することによって取り付けられている。
【００１５】
この防振装置１０は、その特徴として、質量部材２は、その内周面２ａより半径方向内側に突出する突起１１を有し、ダンパ固定部材５の先端１５は、内筒部材１の軸方向外側に突出しており、さらに、ダンパ固定部材５の先端１５の外輪郭の、内筒部材軸線Ｃからの最大半径（=A/2）は、突起１１の最小内側半径（=B/2）よりも大きくなるよう構成されている点である。例えばもし、図２に符号Ｋで模式的に示すように、弾性部材３に亀裂がはいる可能性があり、さらにこれが成長すると、弾性部材３が破断して質量部材２が内筒部材１から落下するおそれがある。本発明は、上記のような構成により、弾性部材３が破断して質量部材２が内筒部材１から落下しよとしても、質量部材２の突起１１がダンパ固定部材５の先端１５と干渉するので、質量部材２の落下を防止することができる。
【００１６】
図３は、質量部材３を示す斜視図であり、このように、突起１１を全周にわたって延在するリブで構成するのが好ましく、旋盤加工によってリブを形成すればコストを低減することができ、また、ダンパ固定部材５の先端１５と突起１１との干渉を確実なものして、高い信頼性の落下防止機能を担持させることができる。
【００１７】
また、本発明においては、ダンパ固定部材５の先端１５が、内筒部材１の内径よりも半径方向外側に広がっているので、内筒部材１がダンパ固定部材５から外れて軸方向に抜けようとしてとき、内筒部材１がダンパ固定部材５から落下するのも防止することができる。
【００１８】
また、内筒部材１は、ダンパ固定部材５に圧入によって固定するのが好ましく、少ない部品点数で内筒部材１をダンパ固定部材５に固定することができる。
【図面の簡単な説明】
【００１９】
【図１】従来の防振装置の一例を示す断面図である。
【図２】本発明の防振装置のを示す断面図である。
【図３】質量部材を模式的に示す斜視図である。
【符号の説明】
【００２０】
１    内筒部材
１ａ  内筒部材の内周面
２    質量部材
２ａ  質量部材の内周面
３    弾性部材
４    ダイナミックダンパ
５    ダンパ固定部材
１０  防振装置
１１  突起
１２  防振装置本体部
１５  ダンパ固定部材の先端
１６  ダンパ固定部材の基端
Ｋ    亀裂
【図１】
2010091015.tif 000003
【図２】
2010091015.tif 000004
【図３】
2010091015.tif 000005